(57)【要約】分布共振モード撓み波音響装置のためのパネル（２）のモード共振周波数分布を改良する方法は、パネルのモード共振周波数分布を解析する段階と、隣接するモード共振周波数に対して不均一に間隔があいたモード共振周波数を特定する段階と、モード共振周波数でアンチノード挙動を示すパネル上の位置を特定する段階と、前記位置（６）で撓み波振動に対する局部インピーダンスを変更する段階とを含む。本方法は、分布モードラウドスピーカに対して特有の用途がある。
2005503741.tif 000002
【特許請求の範囲】
【請求項１】
パネル形状の分布共振モード撓み波音響装置のためのパネルのモード共振周波数分布を改良する方法であって、
（ａ）前記パネルのモード共振周波数分布を解析する段階と、
（ｂ）隣接するモード共振周波数に対して不均一に間隔があいたモード共振周波数を特定する段階と、
（ｃ）前記モード共振周波数でアンチノード挙動を示す前記パネル上の位置を特定する段階と、
（ｄ）前記位置で撓み波振動に対する局部インピーダンスを変更する段階と、
を含むことを特徴とする方法。
【請求項２】
前記位置は、前記モード周波数に隣接する第２の共振周波数でノード挙動を示し、更に前記モード共振周波数でアンチノード挙動を示すように特定されることを特徴とする請求項１に記載の方法。
【請求項３】
それぞれの隣接モード共振周波数に対して不均一に間隔があいている複数のモード共振周波数を特定する段階と、それぞれのモード共振周波数でアンチノード挙動を示す前記パネル上の複数の位置を特定する段階と、前記１つ又は複数の場所で撓み波振動に対する局部インピーダンスを変更する段階とを含むことを特徴とする前記請求項のいずれか１項に記載の方法。
【請求項４】
前記パネルの前記共振周波数分布を改良するように前記局部インピーダンスを繰り返して変更する段階を更に含むことを特徴とする前記請求項のいずれか１項に記載の方法。
【請求項５】
前記局部インピーダンスを様々な量だけ変更する段階と、モード共振周波数分布のそれぞれの均一性を測定する段階と、そこから局部インピーダンス変更の好適値を補間する段階とを含むことを特徴とする請求項１から３のいずれか１項に記載の方法。
【請求項６】
前記測定段階は、モード周波数の最小自乗中心偏差を計算する段階を含むことを特徴とする請求項５に記載の方法。
【請求項７】
前記補間段階は、等方性の材料特性及び最適なアスペクト比を有する、対応する矩形パネルよりも優れたモード共振周波数分布に対応する局部インピーダンス変更の値を特定する段階を含むことを特徴とする請求項５又は６に記載の方法。
【請求項８】
前記局部インピーダンスを様々な量だけ変更する段階と、それぞれのモード共振周波数分布の変化を測定する段階と、そこから局部インピーダンス変更の好適値を補間する段階とを含むことを特徴とする請求項５又は６に記載の方法。
【請求項９】
前記局部インピーダンスを変更する段階は、前記位置でパネルの質量を変更する段階を含むことを特徴とする請求項１から３のいずれか１項に記載の方法。
【請求項１０】
前記局部インピーダンスを変更する段階は、前記パネルに別個の質量を取り付ける段階を含むことを特徴とする請求項９に記載の方法。
【請求項１１】
前記局部インピーダンスを変更する段階は、コンプライアンスを有する部材によって前記パネルに別個の質量を取り付ける段階を含むことを特徴とする請求項１０に記載の方法。
【請求項１２】
前記局部インピーダンスを変更する段階は、減衰を有する部材によって前記パネルに別個の質量を取り付ける段階を含むことを特徴とする請求項１０又は１１に記載の方法。
【請求項１３】
前記局部インピーダンスを変更する段階は、弾性発泡部材によって前記パネルに別個の質量を取り付ける段階を含むことを特徴とする請求項９に記載の方法。
【請求項１４】
前記局部インピーダンスを変更する段階は、前記場所で前記パネルの剛性を変更する段階を含むことを特徴とする前記請求項のいずれか１項に記載の方法。
【請求項１５】
前記局部インピーダンスを変更する段階は、前記場所で前記パネルの減衰を変更する段階を含むことを特徴とする前記請求項のいずれか１項に記載の方法。
【発明の詳細な説明】
【技術分野】
【０００１】
本発明は、分布共振モード形態の音響装置、詳細には、分布共振モードラウドスピーカ（以後「ＤＭラウドスピーカ」と称する）に関するが、これに限定されるものではない。
【背景技術】
【０００２】
前記のラウドスピーカは、撓み波を支持することができる音響ラジエータと、該音響ラジエータに取り付けられ該音響ラジエータを励振して音響出力を生成するようになった変換器とを備えており、例えば、ＷＯ９７／０９８４２（引用によって本明細書に組み込まれる）に説明されている。
【０００３】
ＷＯ９７／０９８４２によれば、音響ラジエータのバルク特性は、共振撓み波モードが周波数に対して均一に分布するように選択できる。換言すれば、例えば、寸法、厚さ、形状、材料といった音響ラジエータのバルク特性又はパラメータは、モードの「集群」、即ちクラスタによって生じる周波数応答中のピークが滑らかになるように選択できる。従って、結果として得られる共振撓み波モード分布には、実質的に最小限のクラスタ化及び空間的な不一致が存在することになる。矩形の等方性撓み剛性パネルに関して、ＷＯ９７／０９８４２には、特に有効な面寸法に関するアスペクト比、例えば、１．１３４：１が特定されている。
【０００４】
変換器の位置は、共振撓み波モード、特に低周波数の共振撓み波モードに実質的に均一に連結するように選択できる。このために、変換器は、振動的にアクティブな共振アンチノードの数が比較的多い位置、反対に共振ノードの数が比較的少ない位置に配置することができる。矩形の場合、適切であることが分かっている特定の位置は、軸に沿った距離が３／７、４／９、及び５／１３の位置である。
【０００５】
ＷＯ９７／０９８４２に教示されている解析は、変換器手段の好適な位置を導き出すだけでなく、任意の特定の望ましくない単一又は複数の周波数に対処するために、任意の選択可能な減衰を適用する必要がある実際の位置を特定する可能性も導き出すことができる。同様に、ＷＯ９９／０２０１２は、局部的な位置で質量負荷を使用することを開示している。両方の開示は、支配的であり（「突出」した平均振幅を超える）、結果として対応するラウドスピーカの全体的な周波数応答性を歪ませる特定の周波数の問題に対処するものである。
【０００６】
ＷＯ００／２２８７７は、全体的な応答性が適切に調整されるよう連結共振を最適に調節するために、撓み波パネルに結合された約２から１２グラムといった質量体の選択的な局部的位置を開示している。この手法は、組立体の低周波数領域を拡大するという特有の利点を有する。
【０００７】
米国特許第５，６１５，２７５号には、フレームに取り付けられると共に、その裏面がスピーカのボイスコイルに連結されている平面ダイアフラムを有するラウドスピーカが説明されており、ボイスコイルは、ピストンのように作動し、ダイアフラムの裏面を押して十分な振動を引き起こして効率的に音を生成するようになっている。質量体は、周波数応答特性を改良するようダイアフラムに弾性的に取り付けられており、任意の特定のダイアフラムに対する重りの数、寸法、及び正確な位置は経験的に決定される。重りは、特定の周波数でのダイアフラムの制御されていない動きを抑制するか又はそれに逆らうように機能する。
【０００８】
【特許文献１】
ＷＯ９７／０９８４２公報
【特許文献２】
ＷＯ９９／０２０１２公報
【特許文献３】
ＷＯ００／２２８７７公報
【特許文献４】
米国特許第５，６１５，２７５号公報
【発明の開示】
【発明が解決しようとする課題】
【０００９】
本発明は、分布共振モード装置に関し、分布共振モード装置の共振モード分布の均一性を改良することを目的とする。ＷＯ９７／０９８４２から分かるように、この種の装置の作動を支える共振モード分布の均一性が向上すると装置自体の周波数応答性が改良される。本発明は、様式の検討、即ちパネルを既存の空間に適合させる必要性の結果であり、前述の好適なパネル寸法では実現できない場合に特に適切である。
【課題を解決するための手段】
【００１０】
従って、本発明は、分布共振モード撓み波音響装置のためのパネルのモード共振周波数分布を改良する方法であって、
（ａ）パネルのモード共振周波数分布を解析する段階と、
（ｂ）隣接するモード共振周波数に対して不均一に間隔があいたモード共振周波数を特定する段階と、
（ｃ）モード共振周波数でアンチノード挙動を示すパネル上の位置を特定する段階と、
（ｄ）前記位置で撓み波振動に対する局部インピーダンスを変更する段階と、
を含む。
【００１１】
特定のモード共振周波数においてアンチノードに対応するパネル上の１つ又はそれ以上の位置で局部インピーダンスを変更することにより、この特定の共振モード周波数のシフトが生じる。本発明者らは、解析により隣接するモード共振周波数に対して不均一に間隔があいているとして特定された１つ又はそれ以上の共振周波数を周波数スペクトル中に再配置するために本作用を利用した。このような方法で、装置のモード共振周波数の分布の均一性は全体として改良される。
【００１２】
また、前述の局部インピーダンスを変更することは、モード共振周波数の全体的な均一性に寄与する、周波数スペクトル中に適切に配置された別の共振モードを引き起こすことができる。
【００１３】
局部機械インピーダンスＺｍは、一般に次の式で表すことができ、
Ｚｍ＝ｊω．質量＋減衰＋剛性／ｊω
減衰、質量、又は剛性の単独の又は一緒にした任意の組合せである。撓み波に対するこのインピーダンスは、基本的にパネル平面に垂直な方向に作用することは明らかである。
【００１４】
好都合なことに、前記の位置は、前記モード共振周波数に隣接する第２の共振周波数でノード挙動を示し、更に前記モード周波数でアンチノードの挙動を示すように特定される。
【００１５】
また、本方法は、それぞれの隣接モード共振周波数に対して不均一に間隔があいた複数のモード共振周波数を特定する段階と、それぞれのモード共振周波数でアンチノード挙動を示すパネル上の複数の位置を特定する段階と、１つ又は複数の場所で撓み波振動に対する局部インピーダンスを変更する段階とを含む。
【００１６】
更に、本方法は、パネルのモード共振周波数分布を改良するように局部インピーダンスを繰り返して変更する段階、もしくは局部インピーダンスを様々な量だけ変更する段階と、モード共振周波数分布のそれぞれの均一性を測定する段階と、そこから局部インピーダンス変更の好適値を補間する段階とを含むことができる。測定段階は、モード周波数の最小自乗中心偏差の計算を含むことができる。
【００１７】
特に、補間段階は、等方性の材料特性の最適なアスペクト比を有する対応する矩形パネルのものよりも優れたモード共振周波数分布に対応する、局部インピーダンス変更値を特定する段階を含むことができる。もしくは、局部インピーダンスを様々な量だけ変更する段階と、対応するモード共振周波数分布の変化を測定する段階と、そこから局部インピーダンス変更の好適値を補間する段階とを含むことができる。
【００１８】
局部インピーダンスを変更する段階に関しては、前記位置でパネルの質量を変更する段階と、好都合にはコンプライアンスを有する部材及び／又は減衰を有する部材によって、特にパネルに対して別個の質量体を取り付ける段階とを含むことができる。特に、別個の質量体は、弾性発泡部材によってパネルに取り付けることができる。
【００１９】
また、局部インピーダンスを変更する段階は、前記位置でパネルの剛性又は減衰を変える段階を含むことができる。
本発明は、添付図面を参照して以下に例示的に説明される。
【発明を実施するための最良の形態】
【００２０】
図１Ａは、例えば前述のＷＯ９７／０９８４２で公知の分布共振モードラウドスピーカ１の概略図であり、サスペンション３によってフレーム４に取り付けられているパネル２を備えており、パネルには励振器５が設けられている。以上の構成は、本技術分野では公知であり詳細には説明しない。例示的に、全体として等方性の材料特性、全ての面上のゼロ剛性サスペンション、及び２８８×２１６×２ｍｍ（アスペクト比が１．３３：１のパネルに相当）の寸法が想定されている。従って、パネルは、ＷＯ９７／０９８４２に説明されている好適なアスペクト比１．１３４：１とは異なる。
【００２１】
本発明の方法によるラウドスピーカのモード周波数分布を改良するためには、最初にパネルのモード共振周波数分布を解析する必要がある。図１Ｂは、公知の有限要素解析（ＦＥＡ）の解析手法によって求めた場合の、図１Ａのパネルに関する周波数スペクトルにわたるモード共振周波数分布を垂直線７によって示す。もしくは、モード共振周波数分布は、本技術分野では良く知られているように経験的に求めることができる。２４の１次モードに対する周波数の値は、表１に示されている。
【００２２】
2005503741.tif 000003
【００２３】
次に、隣接するモード周波数に対して不均一に間隔があいている少なくとも１つのモード共振周波数を特定する必要がある。図１の場合、目視観察により、６００Ｈｚと８００Ｈｚで分布に大きなギャップがあり、同時に４００Ｈｚと９２０Ｈｚでモードの集群があることが明らかである。
４００Ｈｚ近辺で不均一に間隔があいているモードを検討すると、例えば、この周波数におけるモードの集群は、４０１Ｈｚでの（４，０）モード（線８で示す）の周波数を下げることによって、好ましくは線９で示す４０５Ｈｚでの（１，３）モードの周波数を下げることなく少なくすることができる。
【００２４】
次に、本実施例では、対象の４０１Ｈｚのモード共振周波数におけるアンチノード挙動を示すパネル上の位置が特定される。図１Ｃは、この場合も有限要素解析によって得られた最適化グラフであり、４０１Ｈｚにおける（４，０）モードのノード線２０を示す。当然、アンチノード挙動の領域は、破線２２で示す各ノード線の間の中間部に位置し、本発明によって局部インピーダンスが変更される必要があるような位置である。また、前述の特定段階は、例えば、ＷＯ９９／５６４９７等で良く知られている試験パネルのレーザ解析によって実施できることは明らかであろう。
【００２５】
４０５Ｈｚにおける（３，１）モードといった、周波数スペクトル中の隣接モードに対するこのインピーダンス変更の影響は、共振モード周波数でアンチノード挙動を示すのみならず、共振モード周波数に隣接する第２の共振周波数でノード挙動を示すようにインピーダンス変更の位置を選択することによって最小化されることが好ましい。図１Ｄは、隣接する（１，３）モードのノード線を示し、図１Ｃとの比較から、Ｘ軸上で約１／４、Ｙ軸上で約１／２（即ち、コーナーから７２×１０８ｍｍ）に位置する、（４，０）モードに結合するが（１，３）モードに結合しない点（クロスＡで示す）の存在が明らかになる。
【００２６】
本発明の最後の段階により、前記位置Ａの撓み波振動に対する局部インピーダンスは変更される。前述の４０１Ｈｚの対象モード共振周波数を下げるために、前記位置の撓み波振動に対するインピーダンスは、好都合には、その位置のパネル質量を変えることによって、詳細には、パネル表面に図１Ａに６で示す別の質量体を取り付けてパネルの質量を増加させることによって変更される。
【００２７】
追加される実際の質量は、パネルのモード共振周波数を改良するよう局部インピーダンスを繰り返して変更することで決定でき、本実施例では、パネル全質量４３ｇの任意の１０％に相当する４．３ｇの質量を試験した。
【００２８】
図２は、２４の１次モード分布のＦＥＡシミュレーションの結果を示す。この結果を検討すると、周波数分布を均等にするのに必要とする以上にモードが下がったことが判明し、この質量による補償は過剰であったことが分かった。従って、半分の質量（２．１５ｇ）を使用して解析を繰り返し、２４の１次モードの図３に示す新しい配列は、周波数分布の全体的な均一性を改良するが、この最終的な配列は４００Ｈｚでの（４，０）及び（３，１）のモードを有効に切り離すことが分かる。
【００２９】
また、モード周波数分布の均一性は、所謂「コスト関数」によって数値的に表すことができるが、種々のコスト関数が引用によって本明細書に組み込まれているＷＯ９９／５６４９７に説明されている。本実施例において、均一性はモード共振周波数の最小自乗中心偏差の値Ｌによって求めることができる。
2005503741.tif 000004
ここで、ｆｍはｍ番目のモードの周波数である（０＜＝ｍ＜＝Ｍ）。
【００３０】
図４は、図１のＦＥＡモデルを追加した場合の種々の別個の質量（ｍグラム）のコスト関数（Ｌ）の値２３を示す。これらの値から、例えば二次曲線２４をモード共振周波数値２４に適応することによって補間を行うと、ｍ＝１．２９ｇでの最適値２５が示唆され、約４４のコスト関数の最小値が得られる。図５は、この最適な配列での１次の２４の周波数スペクトルにわたる分布を示す。
【００３１】
しかしながら、図４からゼロより大きいが３．４ｇ未満の任意の質量は、未修整パネル（質量＝０）よりも優れた均一性を与え得ることが明らかである。更に、約０．８ｇと１．９ｇとの間の質量の値は、同一の面積及び材料、等方性の材料特性、及び１．１３４：１の「理想」アスペクト比を有する、図１に示す形式の対応する未修正の矩形パネルに対して得られた４４．４よりも、小さなＬの値を与えることができる。
【００３２】
本発明は、単一のモードに限定されるものではなく、それぞれの隣接モード共振周波数に対して不均一に間隔があいている複数のモード共振周波数の識別を予測する。更に、図１Ｂ及び表１のモードリストを検討することで、図１Ｂ上の参照記号Ｂ−Ｇで示すような、共振モードの不均一な間隔が生じることも分かる。これは１３１Ｈｚでのモード（０，２）、３６１Ｈｚでのモード（０，３）、４０１Ｈｚでのモード（４，０）、６４５Ｈｚでのモード（４，２）、８７４Ｈｚでのモード（２，４）、及び９１７Ｈｚでのモード（５，２）の周波数を下げることで修正できることも明らかであろう。
【００３３】
これらのモード共振周波数でのアンチノード挙動を示すパネル上の位置を特定するための有限要素解析は（本発明の第３の段階に対応する）、図６Ａの「駆動マップ」に帰着するが、平均振動振幅の連続的な大きな値は、連続的な淡い陰影で表示される。最大の振動振幅、即ちアンチノード挙動を有するパネル領域は、前述の６つの共振周波数で同時に励振した場合には２６で示される。この複数の位置の１つ又はそれ以上の位置において、本発明の第４の段階に基づいて撓み波振動に対する局部インピーダンスを変更、例えば、大きくする必要がある。
【００３４】
領域２６内で、該当の６つの共振周波数の各々に対する応答性は「滑らか」、即ち均一であり、結果的に装置の周波数応答性の全体的な滑らかさを維持／向上させる、特定の位置を選択することは好都合であろう。この領域は、図６Ｂの陰影のない領域２８で示される。
【００３５】
別の方法として又は追加的に、局部インピーダンスの変更は、特定周波数以外の周波数で実質的にアンチノード挙動がない前述の領域に制限することができる。図６Ｃは前述の別の周波数に関する駆動マップであり、連続的な低度のアンチノード挙動は連続的な濃い陰影で示されている。
【００３６】
図６Ｃから、パネルの大部分の領域がアンチノード挙動なしの基準を満たすことは明らかであろう。しかしながら、前述と同様の「滑らかさ」基準を適用すると、その領域は強調表示されて図６Ｄの結果になり、図６Ｄは、対象の６つのモード以外の全てのモードにわたる応答性に関する連続的な卓越した均一性に対応する連続的な淡い陰影を含んでいる。
【００３７】
図６Ｂ及び図６Ｄの目視による比較から、図６Ｂ及び図６ＤのＡで示す位置（相対座標ｘ＝０．４５、ｙ＝０．４０）でインピーダンスを変更することによって、周波数レベルに加えて周波数分布の全体的な均一性の最良の改良が得られ、同時に２番目に最良の改良が相対座標ｘ＝０．１８、ｙ＝０．４１の位置Ｂで得られることが示唆される。これらの座標は、それぞれｘ軸及びｙ軸のいずれか一方又は両方に反映されることに留意されたい。
【００３８】
図７Ａは、本発明の別の実施形態によって改良されたパネルの概略断面図であり、局部インピーダンスは、別個の１．２９ｇの質量体４４をパネル４０に取り付けるコンプライアンス（弾性発泡パッド４２）を有する部材の形態の質量及び剛性を付加することによって高くなる。
【００３９】
ベースパネルは、図１Ａの実施形態で使用したのと同じであり、不均一に間隔があいている４０１Ｈｚのモード共振周波数、及び該モード共振周波数でのアンチノード挙動を示す対応するパネル上の位置は同じままである。質量体及びパッドは、本発明に基づくパネル位置に配置される。
【００４０】
質量体及びパッドで代表される局部インピーダンスの最適化に関し、第１の実施形態の質量値を使用すると共に、質量体に関する前述の反復型、即ち「コスト関数」ベースの最適化処理を利用してパッド剛性を最適化することで、最適条件に対する良好な第１段階の近似値を得ることができる。本実施例においては、１０Ｎ／ｍｍと１００Ｎ／ｍｍとの間のバネ剛性を解析して最適値２６．３Ｎ／ｍｍを見出した。
【００４１】
結果として得られた図７Ｂに示すモード分布において、若干高い剛性は、８００Ｈｚでの若干大きなギャップを代償にして、７００Ｈｚで２つのモードを引き離す。質量体が周波数応答性に対して悪影響を及ぼす場合がある高い周波数では、剛性が質量体をパネルから切り離すよう機能するという事実から別の利点がもたらされる。
【００４２】
図８Ａは、前記の場所でパネルの剛性を変えることによって局部インピーダンスを変更する方法の一例を概略的に示す。図７Ａのように質量体を取り付ける代わりに、例えばフレームの裏面に橋渡しされた支柱４６によってパネルに取り付けられたコンプライアント部材（発泡パッド４２）は、ラウドスピーカ（図１に４で示す）のフレームに接地される。もしくは、図８Ｂに示すように、同様にフレーム裏面の後方に延びるバッフルボックス（図示せず）に取り付けた延長部４８によって接地してもよい。
【００４３】
図９は、別の実施形態の概略図を示し、質量体５０及びバネ５２に加えてダンパ５４を有するパネル５６が示されている。実際には、このような減衰は、前述の実施形態による任意の弾性発泡パッドに固有のものであり、使用する発泡体を選択することで変えることができる。減衰値の最適値は、前述の方法、及び前述の実施形態に関して決定された質量値及び剛性に基づいて好都合に得られる。特に、減衰は、前述の実施形態の方法によって得られた再分布モードのエネルギー分布をバランスさせるのに利用できる。
【００４４】
本発明は、例示的に説明されており、本発明の範囲から逸脱することなく広範な変更及び修正が可能であることに留意されたい。
【００４５】
例えば、前述の実施形態の全ては、選択位置での局部インピーダンスを大きくする段階を特定している。確かにこのことは単純なパネルの開始点を与えることで、実施（単に質量等を取り付けることで）するのが容易である。しかしながら、局部インピーダンスを小さくすることによって、例えば、局部的にパネル材料を取り除くこと、及び／又は取り換えることによって、最適な周波数分布の均一性の改良が得られる状態が生じる場合もある。
【００４６】
更に、本発明は、部材の平面に垂直な振動運動に制限されるものではなく、別の方法として又は追加的に、部材の回転の自由度方向へ結合する取付け具を使用してもよい。そのような取付け具の一例としては、捻りバネや大きな慣性モーメントをもつ取付け具を挙げることができる。
【００４７】
当然、ラウドスピーカ以外の音響装置、例えば、マイクロフォン等も本発明の範囲に含まれる。しかしながら、ピックアップによる任意の励振器の置き換え以外は、前述のラウドスピーカの実施形態と殆ど同じである。
【図面の簡単な説明】
【００４８】
【図１Ａ】分布共振モードラウドスピーカの概略図である。
【図１Ｂ】図１Ａのパネルのモード共振周波数の分布を示す。
【図１Ｃ】（４，０）モードのノード線を示す最適化されたグラフである。
【図１Ｄ】（１，３）モードのノード線を示す最適化されたグラフである。
【図２】本発明の方法を連続して適用した後の図１Ａのモード共振周波数分布を示す。
【図３】本発明の方法を連続して適用した後の図１Ａのモード共振周波数分布を示す。
【図４】図１のＦＥＡモデルに追加した場合の質量（ｍ）の４つの別個の値に関するコスト関数（Ｌ）の値を示す。
【図５】図４に基づいて最適化したパネルのモード共振周波数の分布を示す。
【図６Ａ】図１Ａのパネルの「駆動マップ」である。
【図６Ｂ】図１Ａのパネルの「駆動マップ」である。
【図６Ｃ】図１Ａのパネルの「駆動マップ」である。
【図６Ｄ】図１Ａのパネルの「駆動マップ」である。
【図７Ａ】本発明の別の実施形態によって改良されたパネルの概略断面図を示す。
【図７Ｂ】図７Ａによるモード共振周波数の分布を示す。
【図８Ａ】図７Ａの配置とは異なる別の配置の断面図である。
【図８Ｂ】図７Ａの配置とは異なる別の配置の断面図である。
【図９】本発明を実現する別の態様を示す概略図である。
【符号の説明】
【００４９】
１  分布共振モードラウドスピーカ
２  パネル
３  サスペンション
４  フレーム
５  励振器
６  質量体
【国際公開パンフレット】
2005503741.tif 000005
2005503741.tif 000006
2005503741.tif 000007
2005503741.tif 000008
2005503741.tif 000009
2005503741.tif 000010
2005503741.tif 000011
2005503741.tif 000012
2005503741.tif 000013
2005503741.tif 000014
2005503741.tif 000015
2005503741.tif 000016
2005503741.tif 000017
2005503741.tif 000018
2005503741.tif 000019
2005503741.tif 000020
2005503741.tif 000021
2005503741.tif 000022
2005503741.tif 000023
2005503741.tif 000024
2005503741.tif 000025
2005503741.tif 000026
2005503741.tif 000027
2005503741.tif 000028
2005503741.tif 000029
2005503741.tif 000030
2005503741.tif 000031
2005503741.tif 000032
2005503741.tif 000033
2005503741.tif 000034
【国際公開パンフレット（コレクトバージョン）】
2005503741.tif 000035
2005503741.tif 000036
【国際調査報告】
2005503741.tif 000037
2005503741.tif 000038
2005503741.tif 000039